(57)【要約】便器に装着するための取付式個人衛生装置であり、それは、バスルームに既存のパイプから温水を作るための温水及び冷水制御弁と、水噴射を作るための回動可能に取り付けられたノズルと、垂直円弧状にノズルを動かすための及び水圧と水流を制御するための制御ハンドルと、水閉止弁とを備えている。基板により、この装置を便器縁と便座との間の空間において便器に取り付けることができる。便座には、切欠きがあって、ノズルの垂直方向の動きを許容する。この装置の使用後にユーザと便座領域を軽く乾かす助けとして、新規のハンドタオル手袋が、吸収性材料の平らなシートから、一端の閉じた筒形に形成される。【選択図】図１
2004500499.tif 000002
【特許請求の範囲】
【請求項１】
一対の取付けボルトを有する便器に装着するための取付式水噴射個人衛生装置であって、
前記取付けボルトを受け入れて基板を便器に着脱可能に取り付けるための一対の孔を有する基板と、
垂直円弧を通ってある角度で加圧水流を放出するため基板上に回動可能に取り付けられた水噴射ノズルと、
前記水噴射ノズルを垂直円弧内の所望の位置に回動させるため水噴射ノズルに作動的に結合された制御手段と、
基板に取り付けられた水噴射ノズルに対する加圧水流を制御するため水噴射ノズルに直列の可変フローバルブと、
フローバルブを駆動し調節するためフローバルブに作動的に結合された制御手段と、
前記フローバルブを別々の温水源及び冷水源に結合するための導水管手段と、
前記導水管手段に直列に設けられ、前記フローバルブに対し所望の水温を達成するため温水源及び冷水源を調節するための弁手段を有する混合弁と、
基板上に回動可能に取り付けられ、水噴射ノズルからの水流が前記水噴射ノズルの垂直円弧状移動範囲を通して邪魔されないようにするため水噴射ノズルの箇所に切欠きを有する便座と
を備えてなる装置。
【請求項２】
請求項１に記載の取付式水噴射個人衛生装置において、
水噴射ノズルに作動的に結合された前記制御手段が、基板の一端部に回動可能に取り付けられた細長の垂直回動レバーであり、前記レバーは遠位端部を便器の一方の側部の近傍に有するものである
ことを特徴とする装置。
【請求項３】
請求項２に記載の取付式水噴射個人衛生装置において、
フローバルブに作動的に結合された前記制御手段が、基板の反対端部にあるフローバルブの上に回動可能に取り付けられた細長のフローバルブレバーであり、前記レバーは遠位端部を便器の反対側部の近傍に有するものである
ことを特徴とする装置。
【請求項４】
請求項３に記載の取付式水噴射個人衛生装置において、
前記混合弁が、そこに冷水導管及び温水導管が結合され、温水及び冷水の相対流量を調節するため温水弁手段及び冷水弁手段を有するＹ型弁である
ことを特徴とする装置。
【請求項５】
請求項３に記載の取付式水噴射個人衛生装置において、
前記混合弁が、温水及び冷水の相対流量を調節するため冷水導管及び温水導管がそこに結合されＴ型構成に配置された一対の弁である
ことを特徴とする装置。
【請求項６】
請求項３に記載の取付式水噴射個人衛生装置において、
前記混合弁が、温水及び冷水の相対流量を調節するため冷水導管及び温水導管がそこに結合されたディスク型水弁である
ことを特徴とする装置。
【請求項７】
請求項３に記載の取付式水噴射個人衛生装置において、
前記フローレバーが、水平方向又は垂直方向に回動可能である
ことを特徴とする装置。
【請求項８】
請求項７に記載の取付式水噴射個人衛生装置であって、
さらに、前記フローバルブレバーに装着された温度計読取器と、
水温を測定するため水噴射ノズルと可変フローバルブとの間に直列に装着された温度プローブと、
前記温度プローブを前記温度計読取器に接続する導電線と
を備えてなる装置。
【発明の詳細な説明】
【０００１】
【発明の属する技術分野】
この発明は、便器に改造取付けするために適合した取付式個人衛生装置に関し、より詳しくは、垂直円弧を通って回動可能で、温度、圧力、及び流量可変の制御可能な水噴射をじる取付式個人衛生装置に関する。
【０００２】
【従来の技術】
世界中の殆どの家庭における基本的な個人衛生システムには、便器、一組の便座と覆い蓋、便器水洗用のタンク、タンクへの冷水供給源、及びトイレットペーパホルダーを備えてなる在来のトイレットシステムを有するバスルームが含まれる。これらバスルームの幾つかでは、人々の個人的嗜好によりトイレットペーパの使用が締め出され別置きビデの形での水洗が好まれている。別置きビデは、ヨーロッパの一部ではよく知られており普通に使われているが、北米での使用は少ない。それは、一般には、装着された蓋又は水洗タンクのない別体の便器型鉢を含んでいる。それは、通常、便器の近傍に置かれていて、鉢の内底に取付られた固定型の水噴射放出ノズルが付いていて、ユーザがビデ鉢に腰掛けたとき、加圧水をユーザに吹き付ける。この解決策の欠点は、第一に、ユーザが便座から立ち上がって散水洗浄のためビデ鉢に移動しなければならず、第二に、通常、便器自体と同程度に大きいビデ鉢の存在及び寸法の当然の結果として、バスルームの大きさと費用が増加することである。そのうえ、第三に、なおトイレットペーパより好む人がいるけれども、ノズルがビデ鉢の内底に置かれているので、この装置は完全に衛生的ではない。
【０００３】
別置きのビデ鉢に対する代替品は、既存の便器又は便座に取付可能なポータブルビデ型装置の使用である。このポータブル装置には長所があり、それは、バスルームの大きさを変える必要がないので経済的であり、かつ、ユーザは散水洗浄のために便座から立ち上がる必要がない。
【０００４】
このクラスの装置として、多くの設計が提案されて来ている。これら装置は、限られた形で商業生産されてきているものもあるが、広く普及したものはない。以下の特許は、便器に取付可能か又は便器近傍への取付けに適応させた取付式ビデ型装置の各種設計提案の関連ある特徴事項を幾つか記述している。
【０００５】
米国特許第５，８０９，５８５号は、便器近傍の壁に取り付けるユニットであって、ユーザを洗浄するためノズル付きの長いホースを有するものを提案している。米国特許第５，２７９，００１号、第５，２６３，２０５号及び３，８７９，７６９号で提案された装置は、便座に固定された水噴射放出ノズルを有するが、ノズルは使用中に使用済み水に露出されるので、衛生上清潔でない。そのうえ、これらの設計は、水噴射の細かな制御の柔軟性に欠ける。
【０００６】
米国特許第５，７９９，３４１号、第５，７２２，０９７号、第５，７０４，０７７号、第５，６５９，９０１号、第５，６５２，９７１号、第５，６４７，０６９号、第５，６３０，２３４号、第５，５５６，４０２号、第５，５０４，９４８号、第５，２８７，５６６号、第４，８０７，３１１号及び第４，１９７，５９４号は、共通して、ノズルが便器内に置かれているので、使用中に使用済み水に露出されるノズルを開示している。したがって、これらの設計は、衛生的に受け入れることができない。
【０００７】
【発明が解決しようとする課題】
この発明の目的は、実用的で広く一般の人々が使うことのできる個人衛生装置を提供することである。
【０００８】
この発明のさらなる目的は、既存のトイレットシステムに装着でき組み込むことができて、ユーザに使い易く、経済的で衛生的な取付式装置を提供することである。
【０００９】
この発明のさらなる目的は、保守と修理の容易な、簡単で、頑丈で、信頼性があり、費用効率の高い取付式装置の提供である。
【００１０】
【課題を解決するための手段】
一対の取付けボルトを有する便器に装着するためのこの発明の取付式水噴射個人衛生装置は、前記取付けボルトを受け入れて基板を便器に着脱可能に取り付けるための一対の孔を有する基板と、垂直円弧を通ってある角度で加圧水流を放出するため基板上に回動可能に取り付けられた水噴射ノズルと、前記水噴射ノズルを垂直円弧内の所望の位置に回動させるため水噴射ノズルに作動的に結合された制御手段と、基板に取り付けられた水噴射ノズルに対する加圧水流を制御するため水噴射ノズルに直列の可変フローバルブと、フローバルブを駆動し調節するためフローバルブに作動的に結合された制御手段と、前記フローバルブを別々の温水源及び冷水源に結合するための導水管手段と、前記導水管手段に直列に設けられ、前記フローバルブに対し所望の水温を達成するため温水源及び冷水源を調節するための弁手段を有する混合弁と、基板上に回動可能に取り付けられ、水噴射ノズルからの水流が前記水噴射ノズルの垂直円弧状移動範囲を通して邪魔されないようにするため水噴射ノズルの箇所に切欠きを有する便座と備えている。
【００１１】
水噴射ノズルに作動的に結合された前記制御手段は、基板の一端部に回動可能に取り付けられた細長の垂直回動レバーであり、前記レバーは遠位端部を便器の一方の側部の近傍に有する。フローバルブに作動的に結合された前記制御手段は、基板の反対端部にあるフローバルブの上に回動可能に取り付けられた細長のフローバルブレバーであり、前記レバーは遠位端部を便器の反対側部の近傍に有する。温度プローブに作動的に結合された温度読取器が、便宜上、細長の制御レバーの中又は基板上に置かれてもよい。
【００１２】
前記混合弁は、好ましくは、そこに冷水導管及び温水導管が結合された、Ｙ型弁又はＴ型構成の二つの弁であり、前記Ｙ型弁は温水及び冷水の相対流量を調節するため温水弁手段及び冷水弁手段を有する。
【００１３】
【発明の実施の形態】
ここで、この発明の取付式水噴射個人衛生装置について、添付図面を参照しながら説明する。
【００１４】
図面の図１〜１４を参照して、この発明の取付式個人衛生装置の実施例は、典型的には便座蝶番を便器に固定するボルト・ナット結合具１４を、基板１０の孔１５に通して結合することにより、便器１２に固定される基板１０を備えている。蝶番１８により基板１０に取り付けられた便座１６は、数字２０で描かれた後部切欠きを有し、噴射ノズル２２からの水噴射が妨げられないで流れるようになっている。切欠き２０は、好ましくは、ノズル２２に取り付けられたカバー２１で覆われている、図７、８、１０及び１１。切欠きカバー２１は、蝶番１８に回動可能に取り付けられ、ノズル２２と一緒に動かせるように、ノズル２２に取り付けられたリフタピン（図示せず）により持ち上げられる。カバー２２には、ばね荷重を掛けてあり、ノズル２２が下向きに回されたとき下向きに付勢される。蓋１７は、蝶番１８に回動可能に取り付けられている。
【００１５】
図１〜１４に図解した実施例によると、混合弁２４が、それぞれ導管３０、３２により弁付き温水管及び冷水管２６、２８に接続されている。冷水導管は、随意にトイレット冷水管２８（図１）に結合することができる。Ｙ型弁（図４）などの、混合弁２４は、制御レバー３６の付いた冷水弁３４及び制御レバー４０の付いた温水弁３８を有し、フローバルブ４２に流れる水について所望の温水の温度を選択することができる。ヤードワークスカナダ製などのボール閉止弁（ｓｈｕｔ−ｏｆｆ ｖａｌｖｅ）、又はモーンインコーポレイテッド製又はブラスクラフトカナダ製などのバタフライ閉止弁、又はスクリュー閉止弁を有するＹ型弁２４が、水流の調節に適している。
【００１６】
ユーザが容易にアクセスできる制御レバー４４を有するＢ＆Ｋインダストリーズ製のボール閉止弁などの水閉止弁４２により制御されて、水圧１５０ｐｓｉまでに調節された温水の流れが、パイプ４３を通って噴射ノズル２２（図２参照）に達する。このノズルは、テレダイン・ウォーターピック製などの直角可撓性エルボ４８（図４）の上に回動可能に取り付けられており、水平から約４５°上方及び２０°下方まで垂直円弧を通って移動するようになっている。ノズル２２の弧状の移動及び位置決めは、ブッシング５２により基板１０に取り付けられたレバー５１によって制御される。レバー５１は、ノズル２２の下側に回動可能に接続されたオフセットアーム延長部５４（図７〜１３に最も明瞭に示す）を有し、レバー５０の垂直回動運動を、オフセットアーム５４の所望の垂直回動運動に変換し、その結果ノズル２２を動かす。
【００１７】
使用時には、水温は、冷水弁３４及び温水弁３８を有する混合弁２４の制御レバー３６、４０を操作して調節し、水流の速度と圧力は、フローバルブ４２の制御アーム４４の遠位端部４５を横方向に図４の数字４４’で描いた位置などに動かして調節する。制御アーム４４は、横方向に動くように取り付けて示したが、アーム４４の垂直方向の動きの方が好ましいかも知れないことは理解されるであろう。これは、フローバルブ４２を弁２４の下流にパイプの垂直部分２５に垂直に組み込むことにより容易に達成することができる。水温は、読取器６３に接続された導管４３に取り付けた、インタータン・テキサス・インコーポレイテッドが販売するタイプの、温度プローブ６１（図１４）により目で監視することができる。読取器６３は、導電線６５によりハンドル４４の中に組み込むのが好ましい。噴射ノズル２２の垂直方向の角度を、図５に数字５３’で描かれたように、レバー５１の遠位端部５０の垂直回動運動により調節して、個々のユーザに合うように調節した水圧に従って所望の角度及び所望の速度で温水を噴射させる。使用中に、ユーザは、ハンドル３６、４０、４４、５１を操作して、水噴射の温度、圧力、及び流量と角度などの種々のパラメータを、望み通りに即刻調節することができる。
【００１８】
混合弁２４は、例えば、図１２及び１３に示すように並列に配置した一対の在来の水弁で構成することができ、この場合、弁３４と３８がＴ型構成になっており、Ｙ型構成では約４５°離れるのに比べて１８０°離れている。又は、図１７に示したような、モーンインコーポレイテッド製などの当該技術では衆知の、ディスク型水弁３９で構成することができ、これは浴槽／シャワー浴室で典型的に使われる温水流と冷水流の両方を制御するための１本のハンドル４１を有し、フローバルブ４２に温水及び冷水を供給する。ハンドル４４及び５１は、互いの位置を逆にすることができ、ノズル２２及びパイプ４３は、平坦な設計のものにすることができ、エルボ４８は、ノズル２２のための結合を逆にして、大きい円弧を描かせることができ、基板１０は、プラスチックでも金属でも作ることができ、弁２４、３６及び４２は、異なる設計とすることができる。温度計は、デジタルでもアナログでもよく、基板１０に組み込んでもよい。ノズル２２は、ボールジョイントによりもたらされる動きに似た動きをするように、スイベル可撓性アダプタ４７（図１２）に取り付けることができる。
【００１９】
図１５及び１６を参照して、ハンドタオル手袋７０は、吸収性材料の平らで概して長方形のシート７２を備えてなり、好ましくは、強化された縁７４を有し、手袋１４の内側は、好ましくは、防水内張を有する。図１５に示した正方形シート７２は、その一端の中程に取り付けられた細い長方形の延長フラップ７６を有する。各々がシート７２の４分の１で構成された両側翼片（ｓｉｄｅ ｗｉｎｇｓ）７８、８０が、それぞれ折畳み線７９、８１に沿って中央部分８２の上に折り畳まれ、シート７２の対向する両辺に取り付けられたフックとループのファスナストリップ８４、８６を合わせて互いに接合され、図１６に示す筒型を形成する。延長フラップ７６は、シート７２の上に折り返されて、筒型の一端を閉じ、フックとループのファスナストリップ９０、９２によりそこに固定される。
【００２０】
ハンドタオル手袋７０は、閉じた手袋を形成し、陰線９４で描かれた手を受け入れて、この取付式装置のユーザが体を拭いて乾かし、次いで必要があれば便座を拭いて乾かすことができる。図１に戻って、新鮮なハンドタオル手袋用の取出し容器９６及び使用済みハンドタオル用の廃棄容器９８が、トイレット１２の近傍の壁に取り付けられて示されている。
【００２１】
【付言】
もちろん、理解されることであろうが、添付の請求項により定義されるこの発明の範囲及び権限から逸脱することなく、ここに記述したこの発明の実施例に変更を加えることができる旨を付言する。
【図面の簡単な説明】
【図１】便器、水タンク、手洗流し及び前記便器に取り付けたこの発明の装置、並びに清潔なハンドタオルホルダ及び汚れたすなわち使用済みのハンドタオル保持器を含むトイレットシステムの透視図である。
【図２】冷水及び温水出口に接続された図１に示す取付式装置の正面立面図である。
【図３】図１に示す装置の平面図である。
【図４】便器に取付け可能なこの発明の取付式装置の詳細平面図である。
【図５】図４の５−５線に沿って取った側面立面図である。
【図６】便器及び便座に対するこの発明の基板の分解斜視図である。
【図７】便座に対するノズルの一部断面平面図である。
【図８】図７の８−８線に沿って取った断面図である。
【図９】図８に示すノズルの正面図である。
【図１０】便器上に組み立てた取付式装置の平面図で、便座をハッチングにより断面で示す。
【図１１】図１０の１１−１１線に沿って取った断面図である。
【図１２】Ｔ型構成にした弁の別の配置を、便座カバーを取り除いて示す平面図である。
【図１３】図１２の側面図である。
【図１４】フローバルブハンドルの実施例の平面図である。
【図１５】折り畳み前のハンドタオルの平面図である。
【図１６】折り畳まれて使用状態の形態にあるハンドタオルの上面図である。
【図１７】ディスク型弁の部分平面図である。
【国際公開パンフレット】
2004500499.tif 000003
2004500499.tif 000004
2004500499.tif 000005
2004500499.tif 000006
2004500499.tif 000007
2004500499.tif 000008
2004500499.tif 000009
2004500499.tif 000010
2004500499.tif 000011
2004500499.tif 000012
2004500499.tif 000013
2004500499.tif 000014
2004500499.tif 000015
2004500499.tif 000016
2004500499.tif 000017
2004500499.tif 000018
2004500499.tif 000019
2004500499.tif 000020
2004500499.tif 000021
2004500499.tif 000022
2004500499.tif 000023
2004500499.tif 000024
2004500499.tif 000025
2004500499.tif 000026
【国際公開パンフレット（コレクトバージョン）】
2004500499.tif 000027
【国際調査報告】
2004500499.tif 000028
2004500499.tif 000029
2004500499.tif 000030
2004500499.tif 000031
2004500499.tif 000032